(57)【特許請求の範囲】
【請求項１】
電気コネクタの電力モジュールであって、
誘電性ハウジングであって、該誘電性ハウジングが前方面を有し、前記誘電性ハウジングが前方面から前方に突出する第１の支持アームを有し、該第１の支持アームが対向する第１及び第２の側面を有し、前記誘電性ハウジングが前方面の後方に空洞を画定し、前記前方面が、該前方面を通って延在して前記空洞と連通する第１及び第２のスロットを有し、前記第１のスロットが前記第１の支持アームの第１の側面に隣接して配設され、前記第２のスロットが前記第１の支持アームの第２の側面に隣接して配設される、誘電性ハウジングと、
第１のブレード端子であって、該第１のブレード端子が本体部及びブレード部を有し、前記第１のブレード端子の本体部が、前記誘電性ハウジングの空洞に収容され、前記第１のブレード端子のブレード部が、前記第１のスロットを通って延在して前記第１の支持アームの第１の側面に沿って位置付けられ、前記第１のブレード端子のブレード部が前記第１の支持アームと略平行に延在する、第１のブレード端子と、
第２のブレード端子であって、該第２のブレード端子が本体部及びブレード部を有し、前記第２のブレード端子の本体部が、前記誘電性ハウジングの空洞に収容され、前記第２のブレード端子のブレード部が、前記第２のスロットを通って延在して前記第１の支持アームの第２の側面に沿って位置付けられ、前記第２のブレード端子のブレード部が前記第１の支持アームと略平行に延在する、第２のブレード端子と、を備え、
前記第１のブレード端子のブレード部は、前記第２のブレード端子のブレード部の長さとは異なる長さを有し、前記第１の支持アームが前方縁面を有し、前記ブレード部のうちの１つの前方縁面が、前記第１の支持アームの前方縁面と整列している、電気コネクタの電力モジュール。
【請求項２】
前記第１の支持アームが、垂直に配置されて、前記前方面から前方に突出する、請求項１に記載の電力モジュール。
【請求項３】
前記第１の支持アームの第１の側面上にチャネルが形成されている、請求項１に記載の電力モジュール。
【請求項４】
前記第１のブレード端子のブレード部が前記チャネル内に配設される、請求項３に記載の電力モジュール。
【請求項５】
前記第１の支持アームの第２の側面上にチャネルが形成されている、請求項３に記載の電力モジュール。
【請求項６】
前記第１のブレード端子のブレード部が、前記第１の支持アームの第１の側面上に形成されたチャネル内に配設され、前記第２のブレード端子のブレード部が、前記第１の支持アームの第２の側面上に形成されたチャネル内に配設される、請求項５に記載の電力モジュール。
【請求項７】
前記第１のブレード端子のブレード部が前方縁面を有し、前記第２のブレード端子のブレード部が前方縁面を有し、前記ブレード部の前方縁面同士が整列している、請求項１に記載の電力モジュール。
【請求項８】
前記第１の支持アームが前方縁面を有し、前記ブレード部の前方縁面が、前記第１の支持アームの前方縁面と整列している、請求項７に記載の電力モジュール。
【請求項９】
前記第１のブレード端子のブレード部が前方縁面を有し、前記第２のブレード端子のブレード部が前方縁面を有し、前記ブレード部の前方縁面同士が整列していない、請求項１に記載の電力モジュール。
【請求項１０】
前記誘電性ハウジングが、前記前方面から前方に突出する第２の支持アームを有し、該第２の支持アームが対向する第１及び第２の側面を有し、前記前方面が、該前方面を通って延在して前記空洞と連通する第３及び第４のスロットを有し、前記第３のスロットが前記第２の支持アームの第１の側面に隣接して配設され、前記第４のスロットが前記第２の支持アームの第２の側面に隣接して配設される、電力モジュールであって、該電力モジュールが、第３のブレード端子及び第４のブレード端子を更に備え、前記第３のブレード端子が本体部及びブレード部を有し、前記第３のブレード端子の本体部が、前記誘電性ハウジングの空洞に収容され、前記第３のブレード端子のブレード部が、前記第３のスロットを通って延在して前記第２の支持アームの第１の側面に沿って位置付けられ、前記第３のブレード端子のブレード部が前記第２の支持アームと略平行に延在し、前記第４のブレード端子が本体部及びブレード部を有し、前記第４のブレード端子の本体部が、前記誘電性ハウジングの空洞に収容され、前記第４のブレード端子のブレード部が、前記第４のスロットを通って延在して前記第２の支持アームの第２の側面に沿って位置付けられ、前記第４のブレード端子のブレード部が前記第２の支持アームと略平行に延在する、請求項１に記載の電力モジュール。
【請求項１１】
前記誘電性ハウジングが下部面を有し、該下部面が、該下部面を通って延在して前記空洞と連通する少なくとも１つのスロットを有する、請求項１に記載の電力モジュール。
【請求項１２】
前記第１及び第２のブレード端子が、それぞれの本体部から下方に延在する端子取り付けピンを有し、該端子取り付けピンは、前記下部面における少なくとも１つのスロットを少なくとも部分的に通って延在して下部面より下で終端する、請求項１１に記載の電力モジュール。
【請求項１３】
前記誘電性ハウジングが後方面を有し、該後方面が、該後方面を通って延在する少なくとも１つのスロットであって、前記空洞及び前記下部面を通って延在する少なくとも１つのスロットの両方と連通する、少なくとも１つのスロットを有する、請求項１１に記載の電力モジュール。
【請求項１４】
前記空洞は、内部において上を向く誘電性ハウジングの第１の肩部を画定し、前記第１のブレード端子の本体部は該本体部から外方に延在するタブを有し、該タブは下部縁を有し、前記タブの下部縁は、前記第１のブレード端子を前記空洞内に適切に位置付けるために、前記誘電性ハウジングの第１の肩部に係合するように構成される、請求項１３に記載の電力モジュール。
【請求項１５】
前記空洞は、内部において上を向く誘電性ハウジングの第２の肩部を画定し、前記第２のブレード端子の本体部は該本体部から外方に延在するタブを有し、該タブは下部縁を有し、前記タブの下部縁は、前記第２のブレード端子を前記空洞内に適切に位置付けるために、前記誘電性ハウジングの第２の肩部に係合するように構成される、請求項１４に記載の電力モジュール。
【請求項１６】
前記空洞は前記誘電性ハウジングの第１の内部壁を画定し、前記第１のブレード端子の本体部はその頂部縁上に形成されたタブを有し、該タブは、前記第１のブレード端子を前記空洞内に挿入する際に前記誘電性ハウジングの第１の内部壁に食い込むように構成された先端部を有し、前記第１のブレード端子が前記空洞から離脱されそうになるときに前記先端部が除去に抵抗するように、前記先端部は挿入の方向に曲げられる、請求項１３に記載の電力モジュール。
【請求項１７】
前記空洞は前記誘電性ハウジングの第２の内部壁を画定し、前記第２のブレード端子の本体部がその頂部縁上に形成されたタブを有し、該タブは、前記第２のブレード端子を前記空洞内に挿入する際に前記誘電性ハウジングの第２の内部壁に食い込むように構成された先端部を有し、前記第２のブレード端子が前記空洞から離脱されそうになるときに前記先端部が除去に抵抗するように、前記先端部は挿入の方向に曲げられる、請求項１６に記載の電力モジュール。
【請求項１８】
少なくとも１つの信号モジュールを含む、信号モジュール組立体と、
嵌め合い構造を有する信号モジュール組立体に固定される電力モジュール組立体であって、少なくとも１つの電力モジュールを含む電力モジュール組立体とを備える電気コネクタであって、
前記少なくとも１つの電力モジュールは、
誘電性ハウジングであって、該誘電性ハウジングが前方面を有し、前記誘電性ハウジングが前方面から前方に突出する第１の支持アームを有し、該第１の支持アームが対向する第１及び第２の側面を有し、前記誘電性ハウジングが前方面の後方に空洞を画定し、前記前方面が、該前方面を通って延在して前記空洞と連通する第１及び第２のスロットを有し、前記第１のスロットが前記第１の支持アームの第１の側面に隣接して配設され、前記第２のスロットが前記第１の支持アームの第２の側面に隣接して配設される、誘電性ハウジングと、
第１のブレード端子であって、該第１のブレード端子が本体部及びブレード部を有し、前記第１のブレード端子の本体部が、前記誘電性ハウジングの空洞に収容され、前記第１のブレード端子のブレード部が、前記第１のスロットを通って延在して前記第１の支持アームの第１の側面に沿って位置付けられ、前記第１のブレード端子のブレード部が前記第１の支持アームと略平行に延在する、第１のブレード端子と、
第２のブレード端子であって、該第２のブレード端子が本体部及びブレード部を有し、前記第２のブレード端子の本体部が、前記誘電性ハウジングの空洞に収容され、前記第２のブレード端子のブレード部が、前記第２のスロットを通って延在して前記第１の支持アームの第２の側面に沿って位置付けられ、前記第２のブレード端子のブレード部が前記第１の支持アームと略平行に延在する、第２のブレード端子と、を備え、
前記第１のブレード端子のブレード部は、前記第２のブレード端子のブレード部の長さとは異なる長さを有し、前記第１の支持アームが前方縁面を有し、前記ブレード部のうちの１つの前方縁面が、前記第１の支持アームの前方縁面と整列している、
電気コネクタ。
【請求項１９】
前記信号モジュール組立体及び前記電力モジュール組立体は、並んだ配置で前記信号及び電力モジュール組立体を一緒に固定する前記嵌め合い構造によって、直線的な配列で整列される、請求項１８に記載の電気コネクタ。
【請求項２０】
前記少なくとも１つの信号モジュールが、保持組立体内に保持されるいくつかの信号回路を有する一連のオーバーモールドウェーハを含む、請求項１８に記載の電気コネクタ。
【請求項２１】
前記第１のブレード端子のブレード部が前方縁面を有し、前記第２のブレード端子のブレード部が前方縁面を有し、前記ブレード部の前方縁面同士が整列している、請求項１８に記載の電気コネクタ。
【請求項２２】
前記第１の支持アームが前方縁面を有し、前記ブレード部の前方縁面が、前記第１の支持アームの前方縁面と整列している、請求項２１に記載の電気コネクタ。
【請求項２３】
前記第１のブレード端子のブレード部が前方縁面を有し、前記第２のブレード端子のブレード部が前方縁面を有し、前記ブレード部の前方縁面同士が整列していない、請求項１８に記載の電気コネクタ。
【請求項２４】
前記電力モジュール組立体が、少なくとも第１の電力モジュール及び第２の電力モジュールを有し、前記第１の電力モジュールの第１及び第２のブレード端子のブレード部が第１の長さを有し、前記第２の電力モジュールの第１及び第２のブレード端子のブレード部が第２の長さを有し、前記第１の長さが第２の長さと異なる、請求項１８に記載の電気コネクタ。
【請求項２５】
前記第１の電力モジュールが第２の電力モジュールに隣接する、請求項２４に記載の電気コネクタ。
【請求項２６】
第１のコネクタと、第２のコネクタとを備えるコネクタ組立体であって、
前記第１のコネクタは、少なくとも１つの電力モジュールを含む電力モジュール組立体を有する第１のコネクタであって、
誘電性ハウジングであって、該誘電性ハウジングが前方面を有し、前記誘電性ハウジングが前方面から前方に突出する第１の支持アームを有し、該第１の支持アームが対向する第１及び第２の側面を有し、前記誘電性ハウジングが前方面の後方に空洞を画定し、前記前方面が、該前方面を通って延在して前記空洞と連通する第１及び第２のスロットを有し、前記第１のスロットが前記第１の支持アームの第１の側面に隣接して配設され、前記第２のスロットが前記第１の支持アームの第２の側面に隣接して配設される、誘電性ハウジングと、
第１のブレード端子であって、該第１のブレード端子が本体部及びブレード部を有し、前記第１のブレード端子の本体部が、前記誘電性ハウジングの空洞に収容され、前記第１のブレード端子のブレード部が、前記第１のスロットを通って延在して前記第１の支持アームの第１の側面に沿って位置付けられ、前記第１のブレード端子のブレード部が前記第１の支持アームと略平行に延在する、第１のブレード端子と、
第２のブレード端子であって、該第２のブレード端子が本体部及びブレード部を有し、前記第２のブレード端子の本体部が、前記誘電性ハウジングの空洞に収容され、前記第２のブレード端子のブレード部が、前記第２のスロットを通って延在して前記第１の支持アームの第２の側面に沿って位置付けられ、前記第２のブレード端子のブレード部が前記第１の支持アームと略平行に延在する、第２のブレード端子と、を備え、
前記第１のブレード端子のブレード部は、前記第２のブレード端子のブレード部の長さとは異なる長さを有し、前記第１の支持アームが前方縁面を有し、前記ブレード部のうちの１つの前方縁面が、前記第１の支持アームの前方縁面と整列し、
前記第２のコネクタは、少なくとも１つの電力モジュールを含む電力モジュール組立体を有し、
前記第２のコネクタの少なくとも１つの電力モジュールは、前記第１のコネクタの少なくとも１つの電力モジュールと嵌合するように構成される、
コネクタ組立体。
【請求項２７】
前記第１のコネクタは、少なくとも１つの信号モジュールを含む信号モジュール組立体を更に含み、前記第２のコネクタは、少なくとも１つの信号モジュールを含む信号モジュール組立体を更に含み、前記第１のコネクタの少なくとも１つの信号モジュールは、前記第２のコネクタの少なくとも１つの信号モジュールと嵌合するように構成される、請求項２６に記載のコネクタ組立体。
【請求項２８】
前記第２のコネクタの少なくとも１つの電力モジュールは、絶縁性ハウジング及び一対のレセプタクル端子を含み、該一対のレセプタクル端子は、前記絶縁性ハウジング内に位置付けられて固定され、前記第１のコネクタの少なくとも１つの電力モジュールの第１及び第２のブレード端子と嵌合するように構成される、請求項２６に記載のコネクタ組立体。
【請求項２９】
前記第２のコネクタの少なくとも１つの電力モジュールは、前記一対のレセプタクル端子の間に位置付けられる絶縁性スペーサを含む、請求項２８に記載のコネクタ組立体。
【請求項３０】
前記第２のコネクタの少なくとも１つの電力モジュールが、前記第１のコネクタの少なくとも１つの電力モジュールと嵌合するとき、通路が、前記第１のコネクタの誘電性ハウジング及び前記第２のコネクタの絶縁性ハウジングの両方を通って提供され、前記通路は、前記第１及び第２のブレード端子と一対のレセプタクル端子との嵌合接合面を横切って提供され、前記コネクタ組立体の直接冷却を可能にする、請求項２８に記載のコネクタ組立体。
【発明の詳細な説明】
【技術分野】
【０００１】
関連出願
本出願は、全体が参照により本明細書に組み込まれる、２０１３年７月１２日に出願された米国仮出願特許第６１／８４５，４１９号の優先権を主張する。
【０００２】
本発明は、コネクタの分野に関し、より具体的には、電力の供給に好適なコネクタの分野に関する。
【背景技術】
【０００３】
概して、電気コネクタは、１つ以上の伝導性端子を備え付けたある形態の絶縁性または誘電性ハウジングを含む。ハウジングは、相補的嵌合コネクタまたはそれ自体が１つ以上の伝導性端子を有する他の接続装置と嵌合するために構成される。コネクタ組立体は、典型的には、コネクタの対応する端子がそれら自体オスおよびメス端子であり得るオスおよびメスコネクタと呼ばれることのあるプラグおよびレセプタクルコネクタなどの一対の嵌合コネクタを含む。
【０００４】
現存のコンピューターシステムは、１つの場所に位置付けられた電源および他の場所で供給された電力を使用する様々な構成部品を有する傾向がある。これにより望ましい熱管理が可能になり、好ましい場所でのプロセッサの位置付けがさらに可能になる。しかしながら、かかる構成に起因する１つの問題は、供給された電力が様々な消費装置に送達されなければならないことである。ある特定の装置では、これは問題ではない。しかしながら、他の電力消費装置（ＣＰＵまたは電力状態を迅速に変化させる他の装置など）では、距離がある特定の問題を引き起こす。
【０００５】
一般に存在する１つの問題は、電源と電力消費装置との間のインダクタンスの問題である。既知の通り、経路に沿って流れる電流は、電流の流れに抵抗するように働く磁場を作り出す。多くの現在の電力消費装置は、相対的に高い周波数（例えば、１ＭＨｚ以上）での電力使用に切り替える。電力の迅速な切り替えは、電圧を低下させ、供給された電力の変動に対するかかる装置の感度により、消費装置にとって問題となり得る。したがって、ある特定の用途では、かかる電圧低下が許容されないので、一定の電圧が供給されることを確実にするために、蓄電器が電力消費装置に隣接して提供されることが決定された。ある特定の個人は、蓄電器の使用を減少または除去することができることを評価するであろう。
【発明の概要】
【課題を解決するための手段】
【０００６】
本開示は、概して、コネクタシステムに統合され得、かつ高電流密度条件下で望ましい動作を提供し得る複合電力および信号コネクタに関する。一般に、コネクタは、モジュラー組立体内のモジュラー構成部品としての使用に好適である。例えば、モジュラー組立体は、例えば、電線対基板コネクタまたは電線対電線コネクタの形態をとり得、所望される場合、薄型コネクタシステムを提供し得る。
【０００７】
プラグコネクタおよびレセプタクルコネクタを含むコネクタ組立体が提供され得る。コネクタ組立体は、プラグコネクタ上に１つ以上のブレード型電力接点およびレセプタクルコネクタ上に多プロング状の電力接点を含む。プラグコネクタは、コネクタの覆われた領域内に取り付けられた信号ピン接点を含む。レセプタクルコネクタは、レセプタクルコネクタと摺動可能に嵌合可能な信号モジュールを含み得る。電力接点は、各伝導性ブレード部の間に離間された中間絶縁体との電力接点の嵌合部を形成する一対のブレード部を含む。したがって、コネクタは、電力および信号を単一コネクタ組立体と共に連結させる。
【０００８】
本発明は、例として図示されており、同様の参照番号が同様の要素を示す添付の図に限定されない。
【図面の簡単な説明】
【０００９】
【図１】電気ブレードコネクタの斜視図である。
【図２】図１のブレードコネクタの嵌合されていない斜視図である。
【図３】図１および２のブレードコネクタの分解立体図である。
【図４】電気ブレードコネクタの電力モジュールの斜視図である。
【図５】モジュールの後部から見た電気ブレードコネクタ図５の電力モジュールの斜視図である。
【図６】電気ブレードコネクタのプラグモジュールおよびレセプタクルモジュールの分解立体図である。
【図７】電気ブレードコネクタのプラグモジュールおよびレセプタクルモジュールの代替の実施形態の分解立体図である。
【図８】図７のプラグ電力モジュールの斜視図である。
【図９】モジュールの後部から見た図７の電力モジュールの部分的分解立体図である。
【図１０】図７の電力モジュールの部分的分解立体図である。
【図１１】図７の電力モジュールの正面図である。
【図１２】図７のレセプタクル電力モジュールの斜視図である。
【発明を実施するための形態】
【００１０】
以下の詳細説明は、例示的実施形態を記載し、明示的に開示された組み合わせ（複数可）を制限することを意図するものではない。したがって、別途示されない限り、本明細書に開示された特徴は、一緒に組み合わされて、簡潔さの目的のために別途示されない追加の組み合わせを形成し得る。
【００１１】
図１および２は、本発明の実施形態を図示するものであり、開示された実施形態が単に例示であり、様々な形態で具体化され得ることを理解されたい。したがって、本明細書に開示される特定の詳細は、限定するものとして解釈されるべきではなく、単に特許請求の範囲の基準として、かつ当業者の教示の基準として解釈されるべきである。
【００１２】
本開示の１つ以上の実施形態は、薄型接続を提供すると同時に、適切な整列、機械的接続、および電気接続を提供するコネクタシステムにおける複数の信号および電力回路の両方を使用する。所望される場合、構成は修正されて、基板対基板、電線対基板、および電線対電線接続を提供し得る。
【００１３】
図１〜３は、第１のコネクタ２０および第２の嵌合コネクタ８０を含む、基板対基板コネクタ組立体１０の実施形態を図示し、各コネクタ２０、８０は、複数のモジュールを含む。コネクタシステム１０は、信号１４および電力型２４の両方を含む複数の個々のモジュールを有する第１のコネクタ２０、ならびに信号８２および電力型８４を含む複数の協働嵌合モジュールを有する第２のコネクタ８０を含むように構成される。典型的には、個々のモジュール１４、２４は、直線的な配列で整列し、並んだ配置でモジュール１４、２４を一緒に固定する嵌め合い構造を備える。この嵌め合い構造は、蟻継ぎ型連動を含み得、かつそれに限定されない（図示せず）。
【００１４】
典型的な信号モジュール１４は、概して、覆いまたは保持組立体１８内に保持されたいくつかの信号回路を有する一連のオーバーモールドウェーハ１６から成る。ウェーハ１６は、一般にスナップ嵌めおよび任意の補強剤によって保持組立体１８内に保有され、次いで、信号１４または電力型２４のいずれかの隣接モジュールに固定される。
【００１５】
図４〜６で最も良く示されるように、電力モジュール２４は、ハウジング２６および電力接点２７を含み、電力接点２７は、一連の個々の電力またはその中に受容されるブレード端子２８、２８’を有する。示された実施形態において、各電力ブレード端子２８、２８’は、本体部３０と、回路要件の通電能力に従って寸法決定されたブレード部３６とを含み、例えば、より高い電流を必要とする回路は、より高い電流の伝達を可能にするより大きな表面領域を提供する実質的に大きいブレード部３６を有する電力ブレード端子または接点２８、２８’を含む。この実施形態において、図４に示されるように、モジュール２４は、各それぞれの支持アーム４２上に支持された隣接する一対のブレード端子２８、２８’を含み、各一対の端子２８、２８’は互いに整列した前縁面を有する。さらに、第１の一対の端子の前縁面は、嵌合方向に沿って、第２の一対の端子の前縁から離間される。
【００１６】
図６〜８に示されるように、電力モジュール２４は、その中に電力接点２７を受容するハウジング２６を含む。ハウジング２６は、主要本体部４０、ならびにコネクタ組立体１０の嵌合面に対応する第１の方向Ｄに延在する第１の側面４４および第２の側面４６を有する支持アーム４２を有する。支持アーム４２は、垂直または上方方向に位置付けられ、コネクタ２０の幅に沿って横方向に離間される。
【００１７】
図７〜８において、示された実施形態は、電力接点２７および背部対背部の関係で配置された単一対のブレード端子２８、２８’を有する電力モジュール２４を含み、ブレード端子２８、２８’が、支持アーム４２のいずれかの側面上に位置付けられる。あるいは、モジュール２４またはコネクタ２０は、また背部対背部の関係で配置され、かつ離間された配向でコネクタ２０の長さに沿って横方向に離間された複数の端子電力接点２７を含み得ることが意図される。この場合において、各モジュール２４またはコネクタ２０は、電力接点２７の総数に対応する同数の垂直に形成された支持アーム４２を含むであろう。
【００１８】
図５〜８で最も良く示されるように、各電力端子２８、２８’は、主要本体部３０および本体部３０から延在するブレード部３６を含む。端子取り付けピン３４は、本体部３０の別の端部または縁から形成される。図７で最も良く示されるように、一連の尾部は、本体部３０の隣接する縁から突出し、この配置において、直角が、直角型構成を形成するブレード部３６と端子尾部３４との間に形成される。代替の配置において、端子尾部３４は、ブレード部３６が形成される本体部３０の反対端部から延在し得、この場合は垂直型構成と考えられる（図示せず）。
【００１９】
図７および９は、組立の際にハウジング２６の壁を係合するために本体部３０の頂部縁上に形成される固定タブ５０を示す。固定タブ５０は、挿入の際にハウジング２６に食い込むかまたは削り込み、かつハウジング２６から離脱されそうになるときに、除去に抵抗するように、挿入の方向に曲げられる先端部５２を有する。縁５６を有する位置決めタブ５４は、本体部３０の側面から形成され、ハウジング２６内の肩部５８に係合して、端子２８、２８’をハウジング２６内に適切に位置付ける。
【００２０】
図７〜１０で最も良く示されるように、モジュール２４は、絶縁性ハウジング２６に保有される各それぞれの主要本体部３０と背部対背部の関係で配置された一対の電力ブレード接点２８、２８’とともに組立てられる。この場合において、各ブレード部３６は、内部面３７および外部面３９を有し、一対のブレード端子２８、２８’の内部面３７は互いに逆方向を向く。各端子２８、２８’の挿入の際に、各端子２８、２８’のブレード部３６は、ブレード部３６が開口部６２を通って突出し、かつ空洞６０内に各端子２８、２８’を位置付けるために、ハウジング２６内に形成された肩部５８と整列した位置決めタブ５４を含むモジュール２４の嵌合端部に延在する状態で、モジュールハウジング２６の後部から空洞６０内に挿入される。電力端子２８、２８’の各本体部３０は、ハウジング２６の側壁に食い込むか、または削り込み、かつハウジング２６内に各端子２８、２８’を固定する固定タブ５０を有する絶縁性モジュールハウジング２６内に嵌め込まれる。あるいは、電力端子２８、２８’は、絶縁性ハウジング２６内にも成形され得る。
【００２１】
各電力モジュール２４は、適切な隣接する電力モジュール２４または信号モジュール１４に固定されるためにハウジング２６の各側面上に形成された嵌め合い構造を有する（図示せず）。嵌め合い構造は、典型的には、各モジュール１４、２４のそれぞれの側面上の蟻継ぎ（図示せず）の適切なオスおよびメス部を有する蟻継ぎ構造を使用する。理解され得るように、「Ｔ」形状または任意の他の好適な嵌め合い形状などの他の構造が代わりに用いられ得る。
【００２２】
図７〜１０に示される実施形態において、実施形態の電力モジュール２４は、別々に分かれ、２つの個々の電力端子２８、２８’の間に配置された絶縁体と形成される電力接点２７を有する。モジュール２４は、モジュールハウジング２６の主要本体部３０から、かつ方向Ｄにコネクタ２０の嵌合面に向かって延在する支持アーム４２を有するハウジング２６を含む。支持アームの多様性は図７〜８に示され、支持アーム４２の側壁または面４４、４６の各々に配設され、かつ支持アーム４２に沿って延在するチャネル７０を含む。各チャネル７０は、底面７２および対向する側壁７４を有するように画定される。対応する端子２８、２８’の各それぞれのブレード部３６は、ブレード部３６の外側または外部面３９のみが露出された状態でチャネル７０内に配設される。つまり、ブレード部３６の内部側面３７は、チャネル７０の底面７２に接し、ブレード部３６の側面または縁の各々は、チャネル７０内のそれぞれの側壁７４に隣接する。同様に、これらの電力端子２８、２８’は、絶縁性モジュールまたはブリックにプレス嵌めされるか、または成形されるかのいずれかが行われ得る。
【００２３】
ある特定の例において、ある特定の電力用途における個々の回路に異なる通電負荷を有することが望ましい。例えば、１つの用途は高電流を必要とし得るので、大きなブレード部を有する電力端子を必要とする。もちろん、増加した電流負荷では、電力端子は温度上昇を示すであろう。表面領域はまた、この熱の放散を補助し、結果的に、ある特定の電力端子の各ブレード部は、異なる表面領域で、かつ示された実施形態において、形成され得、個々の電力接点ブレード部の長さは異なる長さを有する。別の実施形態において、ブレード部長さは各電力接点では同一であり得るが、隣接する電力接点の長さは異なる。異なる長さおよび絶縁性バリアの使用によって、熱的特性および電気特性は適宜に調整され得る。
【００２４】
同様の配置がレセプタクルモジュール８４のために示される。図３および７に示されるように、一対のレセプタクル端子８６は、プラグモジュール２４の電力端子２８、２８’と嵌合するために絶縁性ハウジング９６に位置付けられ、かつ固定される。各レセプタクル端子８６は、プラグモジュールの電力端子２８、２８’のブレード部３６に摺動可能に係合する接触部９９を有する複数のばねフィンガーまたは接点９８を有する。図６に示される代替の実施形態において、絶縁性スペーサ８７は、レセプタクルモジュール８４の個々のレセプタクル端子８６の間に位置付けられ、レセプタクルモジュール８４およびコネクタ組立体１０の電気特性を修正または調整する能力を同様に提供する。
【００２５】
レセプタクル８４は、気流がレセプタクルモジュール８４も通ることを可能にするハウジング９６を通って延在する通路８５も含む。図１２で最も良く示されるようなこの例において、プラグ２４とレセプタクル８４との嵌合の際に、連続する通路が、コネクタシステム１０の直接冷却を可能にするためにブレード端子２８、２８’とレセプタクル端子８６との嵌合接合面を横切ってプラグ２４およびレセプタクル８４の両方を通って作り出されるように、通路８５はレセプタクル端子８６の間に形成される。
【００２６】
図１１〜１２に示されるように、電力モジュール２４のハウジング２６は、ハウジング２６を通って形成され、支持アーム４２の各側面に隣接する通路２５を含む。端子２８、２８’の組立の際に、通路２５は、電力端子２８、２８’の冷却を補助するために空気が各ブレード端子２８、２８’を通り過ぎて流れることを可能にする非制限領域を提供する。レセプタクル８４は、気流がレセプタクルモジュール８４も通ることを可能にするハウジング９６を通って延在する通路８５も含む。図１２で最も良く示されるようなこの例において、プラグ２４とレセプタクル８４との嵌合の際に、連続する通路が、コネクタシステム１０の直接冷却を可能にするためにブレード端子２８、２８’とレセプタクル端子８６との嵌合接合面を横切ってプラグ２４およびレセプタクル８４の両方を通って作り出されるように、通路８５はレセプタクル端子８６の間に形成される。
【００２７】
理解され得るように、２つのブレードを互いに近くに設置することは、コネクタの電気性能に有利な影響を与える。上に示されるように、経路に沿った電流の流れは、電流の流れに抵抗する磁場を生成する。極めて接近して反対の方向に電流が流れる場合、２つの磁場は相殺され得、ループインダクタンスおよび結果として生じるインピーダンスは低減される。示された実施形態は、正端子と負端子との間に良好な電気分離を依然として提供しながら、望ましい電気性能を提供するコネクタを可能にする。加えて、ある特定の実施形態において、ブレードは、実質的にブレードの全長、極めて近接して保持され得、次いで、システムが電圧遅延を低減することができるようにインピーダンスの望ましい改善を提供する。結果的に、システムにおいて、電圧低下を防ぐのに通常使用されるであろう局部蓄電器の数を減らすことができる。
【００２８】
図２に示されるように、各コネクタ組立体２０、８０の端部構成は、それぞれの嵌合モジュール２４、８４およびその中の個々の電気端子接点２８、８６の間のスタッビングを防止するためにコネクタシステム１０を一緒に先導するために整列構造を提供するのに使用される別々のモジュールまたは端部キャップ４、６を含む。先導要素は、典型的には、コネクタ嵌合の際に先導を提供するために両方共、先細端部を有するポスト５および受け孔３で構成される。様々なキーイング特徴がまた、コネクタが嵌合しないことが起こらないことを確実にするために含められ得る。この配置は、薄型波形率における任意の数の信号および電力構成を可能にする。
【００２９】
一般に、プラグコネクタおよびレセプタクルレセプタがある特定の特徴を有するように記載されてきたが、コネクタが図においてプラグまたはレセプタクル型であるかどうかの描写は、単に例証の目的のためになされることを留意されるべきである。したがって、特定のコネクタが、所望される通り、プラグもしくはレセプタクル型またはプラグおよびレセプタクルの組み合わせであるように構成され得ることが想像される。例えば、コネクタは、プラグ型またはレセプタクル型である電力接点を含み得、プラグ型またはレセプタクル型である信号接点も含む。したがって、別途示されない限り、接点がレセプタクルまたはプラグであるかどうかの決定は制限されることが意図されない。
【００３０】
本明細書に提供される開示は、その好ましい、例示的な実施形態の観点から特徴を記載する。添付の特許請求の範囲および趣旨内の多数の他の実施形態、変更、および変形が、本開示の再考察から当業者に思い浮かぶであろう。
【図１】
0006509960.tif 000002
【図２】
0006509960.tif 000003
【図３】
0006509960.tif 000004
【図４】
0006509960.tif 000005
【図５】
0006509960.tif 000006
【図６】
0006509960.tif 000007
【図７】
0006509960.tif 000008
【図８】
0006509960.tif 000009
【図９】
0006509960.tif 000010
【図１０】
0006509960.tif 000011
【図１１】
0006509960.tif 000012
【図１２】
0006509960.tif 000013